(57)【要約】【課題】調湿装置の起動時に、室内に不快臭を有する空気が供給されることを防止することである。【解決手段】調湿装置（10）は、開度調整自在の電動膨張弁（55）と第１吸着熱交換器（51）と第２吸着熱交換器（52）とを有する冷媒回路（50）と、コントローラ（60）とを備えている。蒸発器である吸着熱交換器（51,52）は空気の水分を吸着剤で吸着して除湿し室内に供給し、凝縮器である吸着熱交換器（52,51)を流れる空気に水分を放出させて吸着剤を再生する。コントローラ（60）は、調湿運転部（61）と起動制御部（62）とを備えている。調湿運転部（61）は除湿運転を行い、起動制御部（62）は、除湿運転の起動時に、室外空気（OA）の水分を吸着する第２吸熱交換器の（51）冷媒の蒸発温度が室外空気（OA）の露点温度以上になるように電動膨張弁（55）の弁開度を制御する。【選択図】図１
2006329596.tif 000002
【特許請求の範囲】
【請求項１】
吸着剤が担持された第１吸着部材（51,151）及び第２吸着部材（52,152)と、
上記第１吸着部材（51,151）及び上記第２吸着部材（52,152)の吸着剤を加熱及び冷却をするための熱源手段（50,153）と、
上記第１吸着部材（51,151）の吸着剤で第１空気（OA）の水分を吸着し且つ上記熱源手段（50,153）を制御して上記第２吸着部材（52,152)の吸着剤を加熱することにより第２空気（RA）に水分を放出する第１のバッチ運転と、上記第２吸着部材（52,152)で第１空気（OA）の水分を吸着し且つ上記熱源手段（50,153）を制御して上記第１吸着部材（51,151）を加熱することにより第２空気（RA）に水分を放出する第２のバッチ運転とを交互に行い、第１空気（OA）を除湿空気（SA）に生成して室内に供給する除湿運転を行う調湿運転手段（61）とを備えた調湿装置であって、
上記除湿運転の起動時に、上記調湿運転手段（61）の制御に代わり、上記第１空気（OA）の水分を吸着する上記第１吸着部材（51,151）又は上記第２吸着部材（52,152)を熱源手段（50,153）によって冷却する冷却温度が上記第１空気（OA）の露点温度以上となるように起動運転を行う起動制御手段（62）を備えている
ことを特徴とする調湿装置。
【請求項２】
開度調整自在な膨張弁（55）と吸着剤が担持された第１熱交換器（51）及び第２熱交換器（52）とを有する蒸気圧縮式冷凍サイクルの冷媒回路（50）と、
上記第１熱交換器（51）で第１空気（OA）の水分を吸着し且つ上記第２熱交換器（52）で第２空気（RA）に水分を放出する第１のバッチ運転と、上記第２熱交換器（52）で第１空気（OA）の水分を吸着し且つ上記第１熱交換器（51）で第２空気（RA）に水分を放出する第２のバッチ運転とを交互に行い、第１空気（OA）を除湿空気（SA）に生成して室内に供給する除湿運転を行う調湿運転手段（61）とを備えた調湿装置であって、
上記除湿運転の起動時に、上記調湿運転手段（61）の制御に代わり、上記第１空気（OA）の水分を吸着する上記第１熱交換器（51）又は上記第２熱交換器（52）における冷媒の蒸発温度が上記第１空気（OA）の露点温度以上となるように上記膨張弁（55）の開度を制御して起動運転を行う起動制御手段（62）を備えている
ことを特徴とする調湿装置。
【請求項３】
吸着剤が担持された第１吸着部材（51,111,151）及び第２吸着部材（52,112,152)と、
上記第１吸着部材（51,111,151）及び上記第２吸着部材（52,112,152)の吸着剤を少なくとも加熱するための熱源手段（50,100,153）と、
上記第１吸着部材（51,111,151）の吸着剤で第１空気（OA）の水分を吸着し且つ上記熱源手段（50,100,153）を制御して上記第２吸着部材（52,112,152)の吸着剤を加熱することにより第２空気（RA）に水分を放出する第１のバッチ運転と、上記第２吸着部材（52,112,152)で第１空気（OA）の水分を吸着し且つ上記熱源手段（50,100,153）を制御して上記第１吸着部材（51,111,151）を加熱することにより第２空気（RA）に水分を放出する第２のバッチ運転とを交互に行い、第１空気（OA）を除湿空気（SA）に生成して室内に供給する除湿運転を行う調湿運転手段（61）とを備えた調湿装置であって、
上記除湿運転の起動時に、上記調湿運転手段（61）の制御に代わり、上記熱源手段（50,153）によって加熱される上記第１吸着部材（51,111,151）及び上記第２吸着部材（52,112,152)の一方を流れた上記第１空気（OA）又は上記第２空気（RA）を室内に供給し、他方の吸着部材（51,52,111,112,151,152）を流れた上記第２空気（RA）又は上記第１空気（OA）を室外に排出する起動運転を行う起動制御手段（62）を備えている
ことを特徴とする調湿装置。
【請求項４】
吸着剤が担持された第１熱交換器（51）及び第２熱交換器（52）とを有する蒸気圧縮式冷凍サイクルの冷媒回路（50）と、
上記第１熱交換器（51）で第１空気（OA）の水分を吸着し且つ上記第２熱交換器（52）で第２空気（RA）に水分を放出する第１のバッチ運転と、上記第２熱交換器（52）で第１空気（OA）の水分を吸着し且つ上記第１熱交換器（51）で第２空気（RA）に水分を放出する第２のバッチ運転とを交互に行い、第１空気（OA）を除湿空気（SA）に生成して室内に供給する除湿運転を行う調湿運転手段（61）とを備えた調湿装置であって、
上記除湿運転の起動時に、上記調湿運転手段（61）の制御に代わり、凝縮器となる上記第１熱交換器（51）又は上記第２熱交換器（52）を流れた上記第１空気（OA）又は上記第２空気（RA）を室内に供給する起動運転を行う起動制御手段（62）を備えている
ことを特徴とする調湿装置。
【請求項５】
請求項２又は４において、
上記起動制御手段（62）の起動運転の終了後に、上記冷媒回路（50）の冷媒の循環方向を切り換えて上記調湿運転手段（61）の除湿運転を開始させる
ことを特徴とする調湿装置。
【請求項６】
空気通路（37,38）が形成されたケーシング（11）と、
上記ケーシング（11）内に収容され且つ吸着剤が担持された吸着部材（51,52,111,112,151,152）及び上記吸着部材（51,52,111,112,151,152）の吸着剤を少なくとも加熱するための熱源手段（50,100,153)と、
上記吸着部材（51,52,111,112,151,152）の吸着剤と接触させて調湿した調湿空気（SA）を上記ケーシング（11）の空気通路（37,38）を通して室内に供給する調湿運転手段（61）を備えた調湿装置であって、
上記調湿運転の起動時に、上記調湿運転手段（61）の制御に代わり、上記空気通路（37,38）内の空気を室外に排出する排出手段（63）を備えている
ことを特徴とする調湿装置。
【請求項７】
空気通路（37,38）が形成されたケーシング（11）と、
上記ケーシング（11）内に収容され且つ吸着剤が担持された第１熱交換器（51）及び第２熱交換器（52）とを有する蒸気圧縮式冷凍サイクルの冷媒回路（50）と、
上記第１熱交換器（51）で第１空気（OA,RA）の水分を吸着し且つ上記第２熱交換器（52）で第２空気（RA,OA）に水分を放出する第１のバッチ運転と、上記第２熱交換器（52）で第１空気（OA,RA）の水分を吸着し且つ上記第１熱交換器（51）で第２空気（RA,OA）に水分を放出する第２のバッチ運転とを交互に行う一方、上記第１空気（OA,RA）及び上記第２空気（RA,OA）の何れか一方を調湿空気（SA）に生成して室内に供給し、上記第２空気（RA）及び上記第１空気（RA）の何れか一方を排出空気（EA）として室外に排出するように上記ケーシング（11）の空気通路（37,38）を切換る調湿運転を行う調湿運転手段（61）とを備えた調湿装置であって、
上記調湿運転の起動時に、上記調湿運転手段（61）の制御に代わり、上記空気通路（37,38）内の空気を室外に排出する排出手段（63）を備えている
ことを特徴とする調湿装置。
【発明の詳細な説明】
【技術分野】
【０００１】
本発明は、調湿装置に関し、特に、吸着剤が担持された吸着部材を備えた調湿装置に係るものである。
【背景技術】
【０００２】
従来から、吸着剤が担持された吸着部材により空気を除湿又は加湿処理して、室内に供給する調湿装置が知られている（例えば、特許文献１）。
【０００３】
特許文献１に記載の調湿装置は、ケーシング内に、吸着剤が担持された２つの熱交換器を有する蒸気圧縮式冷凍サイクルの冷媒回路を備えている。そして、この熱交換器によって被処理空気の除湿又は加湿を行い、室内に調湿空気を供給させている。また、この冷媒回路は冷媒循環方向が切換可能に構成されている。
【０００４】
上記調湿装置は、除湿運転において、先ず、ケーシング内に取り込まれた室外空気を、蒸発器となる第１熱交換器で除湿して室内に供給すると同時に、ケーシング内に取り込まれた室内空気に、凝縮器となる第２熱交換器の吸着剤から水分を放出させて吸着剤を再生し、加湿した室内空気を排気する第１のバッチ運転が行われる。そして、冷媒回路の冷媒循環方向及びケーシング内の空気流通路を切り換えて、ケーシング内に取り込まれた室外空気を、蒸発器となる第２熱交換器で除湿して室内に供給すると同時に、ケーシング内に取り込まれた室内空気に、凝縮器となる第１熱交換器の吸着剤から水分を放出させて吸着剤を再生し、加湿した室内空気を排気する第２のバッチ運転が行われる。
【０００５】
一方、上記調湿装置は、加湿運転において、室外空気が凝縮器となる第１熱交換器により加湿されて室内に供給され、室内空気が蒸発器となる第２熱交換器により除湿されて排気される第１のバッチ運転と、室外空気が凝縮器となる第２熱交換器により加湿されて室内に供給され、室内空気が蒸発器となる第１熱交換器により除湿されて排気される第２のバッチ運転とが行われる。このようにして、第１のバッチ運転と第２のバッチ運転を交互に行うことにより、室内の調湿が行われる。
【特許文献１】特開２００４−２９４０４８号公報
【発明の開示】
【発明が解決しようとする課題】
【０００６】
ところで、熱交換器に担持された吸着剤は、水気を帯びて湿潤すると不快臭を発生する。そして、この吸着剤は、調湿装置の起動前に、既に周囲の空気の水分を吸着している場合が多い。
【０００７】
このため、特許文献１に記載の調湿装置においては、除湿運転の起動時に、このように既に水分を吸着した吸着剤を担持した熱交換器が蒸発器となる。そして、熱交換器の蒸発温度が低いためにドレン水が発生すれば、吸着剤が湿潤して、不快臭を有する調湿空気が室内に供給されるという問題点があった。また、この吸着剤が、起動前に、既に吸着剤の水分吸着の飽和状態を超えて湿潤していることもある。この場合は、ケーシング内に不快臭を有する空気が満たされており、起動時に、この不快臭を有する空気が室内に供給されるという問題点もあった。
【０００８】
本発明は、かかる点に鑑みてなされたものであり、調湿装置の起動時に、室内に不快臭を有する空気が供給されることを防止することを目的とする。
【課題を解決するための手段】
【０００９】
第１の発明は、吸着剤が担持された第１吸着部材（51,151）及び第２吸着部材（52,152)上記第１吸着部材（51,151）及び上記第２吸着部材（52,152)の吸着剤を加熱及び冷却をするための熱源手段（50,153）と、上記第１吸着部材（51,151）の吸着剤で第１空気（OA）の水分を吸着し且つ上記熱源手段（50,153）を制御して上記第２吸着部材（52,152)の吸着剤を加熱することにより第２空気（RA）に水分を放出する第１のバッチ運転と、上記第２吸着部材（52,152)で第１空気（OA）の水分を吸着し且つ上記熱源手段（50,153）を制御して上記第１吸着部材（51,151）を加熱することにより第２空気（RA）に水分を放出する第２のバッチ運転とを交互に行い、第１空気（OA）を除湿空気（SA）に生成して室内に供給する除湿運転を行う調湿運転手段（61）とを備えた調湿装置であって、上記除湿運転の起動時に、上記調湿運転手段（61）の制御に代わり、上記第１空気（OA）の水分を吸着する上記第１吸着部材（51,151）又は上記第２吸着部材（52,152)を熱源手段（50,153）によって冷却する冷却温度が上記第１空気（OA）の露点温度以上となるように起動運転を行う起動制御手段（62）を備えている。
【００１０】
この第１の発明では、除湿運転の起動時に、上記起動制御手段（62）により、上記第１空気（OA）の水分を吸着する上記第１吸着部材（51,151）又は上記第２吸着部材（52,152）を熱源手段（50,153）によって冷却する冷却温度を、上記第１空気（OA）の露点温度以上となるように制御して起動運転を行う。この結果、上記第１空気（OA）の水分を吸着する上記第１吸着部材（51,151）又は上記第２吸着部材（52,152）の表面にドレン水が発生することを防止する。
【００１１】
第２の発明は、開度調整自在な膨張弁（55）と吸着剤が担持された第１熱交換器（51）及び第２熱交換器（52）とを有する蒸気圧縮式冷凍サイクルの冷媒回路（50）と、上記第１熱交換器（51）で第１空気（OA）の水分を吸着し且つ上記第２熱交換器（52）で第２空気（RA）に水分を放出する第１のバッチ運転と、上記第２熱交換器（52）で第１空気（OA）の水分を吸着し且つ上記第１熱交換器（51）で第２空気（RA）に水分を放出する第２のバッチ運転とを交互に行い、第１空気（OA）を除湿空気（SA）に生成して室内に供給する除湿運転を行う調湿運転手段（61）とを備えた調湿装置であって、上記除湿運転の起動時に、上記調湿運転手段（61）の制御に代わり、上記第１空気（OA）の水分を吸着する上記第１熱交換器（51）又は上記第２熱交換器（52）における冷媒の蒸発温度が上記第１空気（OA）の露点温度以上となるように上記膨張弁（55）の開度を制御して起動運転を行う起動制御手段（62）を備えている。
【００１２】
この第２の発明では、除湿運転の起動時に、上記起動制御手段（62）により、上記第１空気（OA）の水分を吸着する上記第１熱交換器（51）又は上記第２熱交換器（52）における冷媒の蒸発温度が上記第１空気（OA）の露点温度以上となるように上記膨張弁（55）の開度を制御して起動運転を行う。この結果、上記第１空気（OA）の水分を吸着する上記第１熱交換器（51）又は上記第２熱交換器（52）の表面にドレン水が発生することを防止する。
【００１３】
第３の発明は、吸着剤が担持された第１吸着部材（51,111,151）及び第２吸着部材（52,112,152)と、上記第１吸着部材（51,111,151）及び上記第２吸着部材（52,112,152)の吸着剤を少なくとも加熱するための熱源手段（50,100,153）と、上記第１吸着部材（51,111,151）の吸着剤で第１空気（OA）の水分を吸着し且つ上記熱源手段（50,100,153）を制御して上記第２吸着部材（52,112,152)の吸着剤を加熱することにより第２空気（RA）に水分を放出する第１のバッチ運転と、上記第２吸着部材（52,112,152)で第１空気（OA）の水分を吸着し且つ上記熱源手段（50,100,153）を制御して上記第１吸着部材（51,111,151）を加熱することにより第２空気（RA）に水分を放出する第２のバッチ運転とを交互に行い、第１空気（OA）を除湿空気（SA）に生成して室内に供給する除湿運転を行う調湿運転手段（61）とを備えた調湿装置であって、上記調湿運転手段（61）の制御に代わり、上記熱源手段（50,100,153）によって加熱される上記第１吸着部材（51,111,151）及び上記第２吸着部材（52,112,152)の一方を流れた上記第１空気（OA）又は上記第２空気（RA）を室内に供給し、他方の吸着部材（51,52,111,112,151,152）を流れた上記第２空気（RA）又は上記第１空気（OA）を室外に排出する起動運転を行う起動制御手段（62）を備えている。
【００１４】
この第３の発明では、除湿運転の起動時に、上記起動制御手段（62）により、加熱される上記第１吸着部材（51,111,151）又は上記第２吸着部材（52,112,152)を流れた上記第１空気（OA）又は上記第２空気（RA）を室内に供給し、他方の吸着部材（51,52,111,112,151,152）を流れた上記第２空気（RA）又は上記第１空気（OA）を室外に排出する起動運転を行う。
【００１５】
第４の発明は、吸着剤が担持された第１熱交換器（51）及び第２熱交換器（52）とを有する蒸気圧縮式冷凍サイクルの冷媒回路（50）と、上記第１熱交換器（51）で第１空気（OA）の水分を吸着し且つ上記第２熱交換器（52）で第２空気（RA）に水分を放出する第１のバッチ運転と、上記第２熱交換器（52）で第１空気（OA）の水分を吸着し且つ上記第１熱交換器（51）で第２空気（RA）に水分を放出する第２のバッチ運転とを交互に行い、第１空気（OA）を除湿空気（SA）に生成して室内に供給する除湿運転を行う調湿運転手段（61）とを備えた調湿装置であって、上記除湿運転の起動時に、上記調湿運転手段（61）の制御に代わり、凝縮器となる上記第１熱交換器（51）又は上記第２熱交換器（52）を流れた上記第１空気（OA）又は上記第２空気（RA）を室内に供給する起動運転を行う起動制御手段（62）を備えている。
【００１６】
この第４の発明では、除湿運転の起動時に、上記起動制御手段（62）により、凝縮器となる上記第１熱交換器（51）又は上記第２熱交換器（52）を流れた上記第１空気（OA）又は上記第２空気（RA）を室内に供給する起動運転を行う。
【００１７】
第５の発明は、第２及び第４の発明の何れかにおいて、上記起動制御手段（62）の起動運転の終了後に、上記冷媒回路（50）の冷媒の循環方向を切り換えて上記調湿運転手段（61）の除湿運転を開始させる。
【００１８】
この第５の発明は、上記起動制御手段（62）の起動運転の終了後に、上記冷媒回路（50）の冷媒の循環方向を切り換えて、起動運転時における冷媒回路（50）の循環方向のままで除湿運転の第１回目のバッチ運転が行われないようにし、冷媒回路（50）の低圧側の圧力が低下するのを抑制する。
【００１９】
第６の発明は、空気通路（37,38）が形成されたケーシング（11）と、上記ケーシング（11）内に収容され且つ吸着剤が担持された吸着部材（51,52,111,112,151,152）及び上記吸着部材（51,52,111,112,151,152）の吸着剤を少なくとも加熱するための熱源手段（50,100,153)と、上記吸着部材（51,52,111,112,151,152）の吸着剤と接触させて調湿した調湿空気（SA）を上記ケーシング（11）の空気通路（37,38）を通して室内に供給する調湿運転手段（61）を備えた調湿装置であって、上記調湿運転の起動時に、上記調湿運転手段（61）の制御に代わり、上記空気通路（37,38）内の空気を室外に排出する排出手段（63）を備えている。
【００２０】
この第６の発明は、調湿運転の起動時に、上記排出手段（63）により、上記空気通路（37,38）内の空気を室外に排出する。この結果、上記空気通路（37,38）内に充満していた不快臭を有する空気が室内に供給されないようにする。
【００２１】
第７の発明は、空気通路（37,38）が形成されたケーシング（11）と、上記ケーシング（11）内に収容され且つ吸着剤が担持された第１熱交換器（51）及び第２熱交換器（52）とを有する蒸気圧縮式冷凍サイクルの冷媒回路（50）と、上記第１熱交換器（51）で第１空気（OA,RA）の水分を吸着し且つ上記第２熱交換器（52）で第２空気（RA,OA）に水分を放出する第１のバッチ運転と、上記第２熱交換器（52）で第１空気（OA,RA）の水分を吸着し且つ上記第１熱交換器（51）で第２空気（RA,OA）に水分を放出する第２のバッチ運転とを交互に行う一方、上記第１空気（OA,RA）及び上記第２空気（RA,OA）の何れか一方を調湿空気（SA）に生成して室内に供給し、上記第２空気（RA）及び上記第１空気（RA）の何れか一方を排出空気（EA）として室外に排出するように上記ケーシング（11）の空気通路（37,38）を切換る調湿運転を行う調湿運転手段（61）とを備えた調湿装置であって、上記調湿運転の起動時に、上記調湿運転手段（61）の制御に代わり、上記空気通路（37,38）内の空気を室外に排出する排出手段（63）を備えている。
【００２２】
この第７の発明は、調湿運転の起動時に、上記排出手段（63）により、上記空気通路（37,38）内の空気を室外に排出する。この結果、上記空気通路（37,38）内に充満していた不快臭を有する空気が室内に供給されないようにする。
【発明の効果】
【００２３】
上記第１の発明によれば、除湿運転の起動時に、上記起動制御手段（62）により、上記第１空気（OA）の水分を吸着する上記第１吸着部材（51,151）又は上記第２吸着部材（52,152）を熱源手段（50,153）によって冷却する冷却温度を、上記第１空気（OA）の露点温度以上となるように制御して起動運転を行うようにしたために、上記第１空気（OA）の水分を吸着する上記第１吸着部材（51,151）又は上記第２吸着部材（52,152）の表面にドレン水が発生することを防止することができる。この結果、第１空気（OA）を除湿処理する上記第１吸着部材（51,151）又は上記第２吸着部材（52,152）に担持された吸着剤が湿潤することがないので、吸着剤の湿潤による不快臭の発生を防止することができることから、室内に不快臭を有する空気が供給されることを防止することができる。
【００２４】
また、上記第２の発明によれば、除湿運転の起動時に、上記起動制御手段（62）により、上記第１空気（OA）の水分を吸着する上記第１熱交換器（51）又は上記第２熱交換器（52）における冷媒の蒸発温度が上記第１空気（OA）の露点温度以上となるように上記膨張弁（55）の開度を制御して起動運転を行うようにしたために、上記第１空気（OA）の水分を吸着する上記第１熱交換器（51）又は上記第２熱交換器（52）の表面にドレン水が発生することを防止することができる。この結果、第１空気（OA）を除湿処理する上記第１熱交換器（51）又は上記第２熱交換器（52）に担持された吸着剤が湿潤することがないので、吸着剤の湿潤による不快臭の発生を防止することができることから、室内に不快臭を有する空気が供給されることを防止することができる。
【００２５】
また、上記第３の発明によれば、除湿運転の起動時に、上記調湿運転手段（61）の制御に代わり、上記起動制御手段（62）により、上記熱源手段（50,100,153）により加熱された上記第１吸着部材（51,111,151）又は上記第２吸着部材（52,112,152)を流れた上記第１空気（OA）又は上記第２空気（RA）を室内に供給する起動運転を行うようにしたために、起動運転時に室内に供給される上記第１空気（OA）又は上記第２空気（RA）を処理する上記第１吸着部材（51,111,151）又は上記第２吸着部材（52,112,152)の吸着剤は再生され、湿潤することがない。この結果、吸着剤の湿潤による不快臭の発生を防止することができることから、室内に不快臭を有する空気が供給されることを防止することができる。また、他方の吸着部材（51,52,111,112,151,152）を流れた上記第２空気（RA）又は第１空気（OA）の水分を室外に排出するようにしたために、仮に、他方の吸着部材（51,52,111,112,151,152）が湿潤して不快臭を発生しても、この不快臭を有する上記第２空気（RA）又は第１空気（OA）を室外へ排出することができる。
【００２６】
また、上記第４の発明によれば、除湿運転の起動時に、上記調湿運転手段（61）の制御に代わり、上記起動制御手段（62）により、凝縮器となる上記第１熱交換器（51）又は上記第２熱交換器（52）を流れた上記第１空気（OA）又は上記第２空気（RA）を室内に供給する起動運転を行うようにしたために、起動運転時に室内に供給される上記第１空気（OA）又は上記第２空気（RA）を処理する上記第１熱交換器（51）又は上記第２熱交換器（52）の表面にドレン水が発生することがない。この結果、上記第１空気（OA）又は上記第２空気（RA）を処理する上記第１熱交換器（51）又は上記第２熱交換器（52）に担持された吸着剤が湿潤することがないので、吸着剤の湿潤により不快臭が発生することがないことから、室内に不快臭を有する空気が供給されることを防止することができる。
【００２７】
また、上記第５の発明によれば、第２又は第４の発明において、上記起動制御手段（62）の起動運転の終了後に、上記冷媒回路（50）の冷媒の循環方向を切り換えるようにしたために、起動運転時における冷媒回路（50）の循環方向のままで除湿運転の第１回目のバッチ運転が行われることがない。その結果、起動運転時に蒸発器として機能する第１熱交換器（51）又は第２熱交換器（52）が、第１回目のバッチ運転においてもそのまま蒸発器となって、長時間蒸発器として機能することを防止することができるので、起動運転時に蒸発器となる第１熱交換器（51）又は第２熱交換器（52）の蒸発圧力が低くなりすぎることを防止することができる。
【００２８】
また、上記第６の発明によれば、調湿運転の起動時に、上記排出手段（63）により、上記空気通路（37,38）内の空気を室外に排出するようにしたために、仮に、吸着部材（51,52,111,112,151,152）に担持された吸着剤が湿潤して、ケーシング（11）内に不快臭を有する空気が充満していたとしても、この空気を室外に排出することができる。その結果、室内に不快臭を有する空気が供給されることを防止することができる。
【００２９】
また、上記第７の発明によれば、調湿運転の起動時に、上記排出手段（63）により、上記空気通路（37,38）内の空気を室外に排出するようにしたために、仮に、熱交換器（51,52）に担持された吸着剤が湿潤して、ケーシング（11）内に不快臭を有する空気が充満していたとしても、この空気を室外に排出することができる。その結果、室内に不快臭を有する空気が供給されることを防止することができる。
【発明を実施するための最良の形態】
【００３０】
以下、本発明の実施形態を図面に基づいて詳細に説明する。
【００３１】
《発明の実施形態１》
本発明の実施形態１について説明する。本実施形態の調湿装置（10）は、空気の除湿と加湿とを行う調湿装置である。上記調湿装置（10）は、いわゆる換気型の調湿装置であって、室外空気（OA）を調湿して室内へ供給すると同時に室内空気（RA）を室外に排出する。
【００３２】
上記調湿装置（10）について、図１及び図２を参照しながら説明する。尚、ここでの説明で用いる「上」「下」「左」「右」「前」「後」「手前」「奥」は、特にことわらない限り、上記調湿装置（10）を前面側から見た場合の方向を意味している。
【００３３】
上記調湿装置（10）は、ケーシング（11）と制御手段であるコントローラ（60）を備えている。また、ケーシング（11）内には、冷媒回路（50）が収容されている。上記冷媒回路（50）には、第１吸着熱交換器（51）、第２吸着熱交換器（52）、圧縮機（53）、四方切換弁（54）、及び電動膨張弁（55）が接続されている。冷媒回路（50）の詳細は後述する。
【００３４】
上記ケーシング（11）は、やや扁平で高さが比較的低い直方体状に形成されている。上記ケーシング（11）では、図１における左手前側に前面パネル（12）が、同図における右奥側に背面パネル（13）がそれぞれ立設されており、同図における左手前から右奥へ向かう方向が長手方向となっている。
【００３５】
ケーシング（11）の前面パネル（12）では、左寄りの位置に排気口（21）が、右寄りの位置に給気口（22）がそれぞれ開口している。ケーシング（11）の背面パネル（13）には、左寄りの位置に外気吸込口（23）が、右寄りの位置に内気吸込口（24）がそれぞれ開口している。
【００３６】
上記ケーシング（11）の内部空間は、前面パネル（12）側の部分と背面パネル（13）側の部分とに区画されている。
【００３７】
上記ケーシング（11）内における前面パネル（12）側の空間は、左右２つの空間に仕切られている。この左右に仕切られた空間は、左寄りの空間が排気ファン室（35）を、右寄りの空間が給気ファン室（36）をそれぞれ構成している。排気ファン室（35）は、排気口（21）を介して室外空間と連通している。上記排気ファン室（35）には排気ファン（25）が収容されており、排気ファン（25）の吹出口が排気口（21）に接続されている。一方、給気ファン室（36）は、給気口（22）を介して室内空間と連通している。上記給気ファン室（36）には、給気ファン（26）が収容されており、給気ファン（26）の吹出口が給気口（22）に接続されている。また、給気ファン室（36）には、圧縮機（53）も収容されている。
【００３８】
一方、上記ケーシング（11）内の背面パネル（13）側の空間は、ケーシング（11）内に立設された第１仕切板（16）及び第２仕切板（17）によって左右３つの空間に仕切られている。これら仕切板（16,17）は、背面パネル（13）からケーシング（11）の長手方向に沿って延びている。第１仕切板（16）はケーシング（11）の右側板寄りに、第２仕切板（17）はケーシング（11）の左側板寄りにそれぞれ配置されている。
【００３９】
上記ケーシング（11）内において、第１仕切板（16）の左側の空間は上下２つの空間に仕切られており、上側の空間が排気側流路（31）を、下側の空間が外気側流路（32）をそれぞれ構成している。排気側流路（31）は、排気ファン室（35）と連通している。外気側流路（32）は、外気吸込口（23）を介して室外空間と連通している。一方、右側の空間は上下２つの空間に仕切られており、上側の空間が給気側流路（33）を、下側の空間が内気側流路（34）をそれぞれ構成している。給気側流路（33）は、給気ファン室（36）と連通している。内気側流路（34）は、内気吸込口（24）を介して室内と連通している。
【００４０】
第１仕切板（16）と第２仕切板（17）との間の空間は、更に中央仕切板（18）によって前後２つの空間に仕切られている。そして、中央仕切板（18）の前側の空間が第１熱交換器室（37）を構成し、その後側の空間が第２熱交換器室（38）を構成している。第１熱交換器室（37）には第１吸着熱交換器（51）が、第２熱交換器室（38）には第２吸着熱交換器（52）がそれぞれ収容されている。これら２つの吸着熱交換器（51,52）は、それぞれが収容される熱交換器室（37,38）を前後方向へ横断するように配置されている。
【００４１】
上記第１仕切板（16）には、開閉式のダンパ（41〜44）が４つ設けられている。具体的に、第１仕切板（16）では、前面側の上部に第１ダンパ（41）が、背面側の上部に第２ダンパ（42）が、前面側の下部に第３ダンパ（43）が、背面側の下部に第４ダンパ（44）がそれぞれ取り付けられている。第１ダンパ（41）を開くと、排気側流路（31）と第１熱交換器室（37）が連通する。第２ダンパ（42）を開くと、排気側流路（31）と第２熱交換器室（38）が連通する。第３ダンパ（43）を開くと、外気側流路（32）と第１熱交換器室（37）が連通する。第４ダンパ（44）を開くと、外気側流路（32）と第２熱交換器室（38）が連通する。
【００４２】
上記第２仕切板（17）には、開閉式のダンパ（41〜44）が４つ設けられている。具体的に、第２仕切板（17）では、前面側の上部に第５ダンパ（45）が、背面側の上部に第６ダンパ（46）が、前面側の下部に第７ダンパ（47）が、背面側の下部に第８ダンパ（48）がそれぞれ取り付けられている。第５ダンパ（45）を開くと、給気側流路（33）と第１熱交換器室（37）が連通する。第６ダンパ（46）を開くと、給気側流路（33）と第２熱交換器室（38）が連通する。第７ダンパ（47）を開くと、内気側流路（34）と第１熱交換器室（37）が連通する。第８ダンパ（48）を開くと、内気側流路（34）と第２熱交換器室（38）が連通する。
【００４３】
上記冷媒回路（50）は、図３に示すように、第１吸着熱交換器（51）、第２吸着熱交換器（52）、圧縮機（53）、四方切換弁（54）、及び電動膨張弁（55）が設けられた閉回路である。上記冷媒回路（50）は、充填された冷媒を循環させることによって、蒸気圧縮冷凍サイクルを行う。
【００４４】
上記冷媒回路（50）において、圧縮機（53）は、その吐出側が四方切換弁（54）の第１のポートに、その吸入側が四方切換弁（54）の第２のポートにそれぞれ接続されている。第１吸着熱交換器（51）の一端は、四方切換弁（54）の第３のポートに接続されている。第１吸着熱交換器（51）の他端は、電動膨張弁（55）を介して第２吸着熱交換器（52）の一端に接続されている。第２吸着熱交換器（52）の他端は、四方切換弁（54）の第４のポートに接続されている。
【００４５】
上記四方切換弁（54）は、第１のポートと第３のポートが連通して第２のポートと第４のポートが連通する第１状態（図３（Ａ)に示す状態）と、第１のポートと第４のポートが連通して第２のポートと第３のポートが連通する第２状態（図３（Ｂ)に示す状態）とに切り換え可能となっている。
【００４６】
図４に示すように、第１吸着熱交換器（51）及び第２吸着熱交換器（52）は、何れもクロスフィン型のフィン・アンド・チューブ熱交換器によって構成されている。これら吸着熱交換器（51,52）は、銅製の伝熱管（58）とアルミニウム製のフィン（57）とを備えている。吸着熱交換器（51,52）に設けられた複数のフィン（57）は、それぞれが長方形板状に形成され、一定の間隔で並べられている。また、伝熱管（58）は、各フィン（57）を貫通するように設けられている。
【００４７】
また、第１吸着熱交換器（51）及び第２吸着熱交換器（52）は、それぞれ、各フィン（57）の表面に吸着剤が担持され、第１吸着部材及び第２吸着部材を構成している。上記各フィン（57）の間を通過する空気は、上記吸着剤と接触する。この吸着剤としては、ゼオライト、シリカゲル、活性炭、親水性の官能基を有する有機高分子材料など、空気中の水蒸気を吸着できるものが用いられる。
【００４８】
上記電動膨張弁（55）は、弁開度が調整自在な膨張弁に構成されている。
【００４９】
上記コントローラ（60）は調湿運転部（61）と起動制御部（62）とを備えている。該調湿運転部（61）は、除湿運転及び加湿運転において、室外空気（OA）を調湿処理して室内に供給する調湿運転手段に構成されている。つまり、上記調湿運転部（61）は、除湿運転時においては、上記第１吸着熱交換器（51）で室外空気（OA）の水分を吸着し且つ上記第２吸着熱交換器（52）で室内空気（RA）に水分を放出する第１のバッチ運転と、上記第２吸着熱交換器（52）で室外空気（OA）の水分を吸着し且つ上記第１吸着熱交換器（51）で室内空気（RA）に水分を放出する第２のバッチ運転とを交互に行い、室外空気（OA）を除湿空気（SA）に生成して室内に供給する除湿運転を行う調湿手段に構成されている。
【００５０】
また、上記起動制御部（62）は、上記除湿運転の起動時に、上記調湿運転部（61）の制御に代わり、上記室外空気（OA）の水分を吸着する上記第１吸着熱交換器（51）又は上記第２吸着熱交換器（52）における冷媒の蒸発温度が上記室外空気（OA）の露点温度以上となるように上記電動膨張弁（55）の開度を制御して起動運転を行う起動制御手段を構成している。
【００５１】
尚、図示しないが、上記調湿装置（10）には、室外空気（OA）の露点温度を測定する露点温度センサが設けられている。
【００５２】
−運転動作−
本実施形態の調湿装置（10）では、除湿運転と加湿運転とが行われる。除湿運転中や加湿運転中の調湿装置（10）は、取り込んだ室外空気（OA）を調湿してから供給空気（SA）として室内へ供給すると同時に、取り込んだ室内空気（RA）を排出空気（EA）として室外へ排出する。つまり、除湿運転中や加湿運転中の調湿装置（10）は、室内の換気を行っている。そして、除湿運転において、室外空気（OA）が第１空気を構成し、室内空気（RA）が第２空気を構成している。
【００５３】
〈除湿運転〉
除湿運転中の調湿装置（10）では、給気ファン（26）及び排気ファン（25）が運転される。給気ファン（26）を運転すると、室外空気（OA）が外気吸込口（23）からケーシング（11）内へ取り込まれる。排気ファン（25）を運転すると、室内空気（RA）が内気吸込口（24）からケーシング（11）内へ取り込まれる。
【００５４】
調湿装置（10）では、運転開始時の所定期間（例えば、２分間）、起動制御部（62）による起動運転が行われる。
【００５５】
そして、上記起動運転における冷媒回路（50）では、図３(Ｂ)に示すように、四方切換弁（54）が第２状態に設定される。この状態の冷媒回路（50）では、冷媒が循環して冷凍サイクルが行われる。その際、冷媒回路（50）では、圧縮機（53）から吐出された冷媒が第２吸着熱交換器（52）、電動膨張弁（55）、第１吸着熱交換器（51）の順に通過し、第２吸着熱交換器（52）が凝縮器となって第１吸着熱交換器（51）が蒸発器となる。
【００５６】
図６に示すように、起動運転中には、第２ダンパ（42）、第３ダンパ（43）、第５ダンパ（45）、及び第８ダンパ（48）だけが開状態となり、残りのダンパ（41,44,46,47）が閉状態となる。
【００５７】
外気吸込口（23）から外気側流路（32）へ流入した室外空気（OA）は、第３ダンパ（43）を通って第１熱交換器室（37）へ流入し、その後に第１吸着熱交換器（51）を通過する。第１吸着熱交換器（51）では、室外空気（OA）中の水分が吸着剤に吸着され、その際に生じた吸着熱が冷媒に吸熱される。第１吸着熱交換器（51）で除湿された室外空気（OA）は、第５ダンパ（45）を通って給気側流路（33）へ流入し、給気ファン室（36）を通過後に給気口（22）を通って室内へ供給される。
【００５８】
一方、内気吸込口（24）から内気側流路（34）へ流入した室内空気（RA）は、第８ダンパ（48）を通って第２熱交換器室（38）へ流入し、その後に第２吸着熱交換器（52）を通過する。第２吸着熱交換器（52）では、冷媒で加熱された吸着剤から水分が脱離し、この脱離した水分が室内空気（RA）に付与される。第２吸着熱交換器（52）で水分を付与された室内空気（RA）は、第２ダンパ（42）を通って排気側流路（31）へ流入し、排気ファン室（35）を通過後に排気口（21）を通って室外へ排出される。
【００５９】
そして、起動運転中には、上記起動制御部（62）に、調湿装置（10）に備えた露点温度センサから室外空気（OA）の露点温度が入力される。上記起動制御部（62）は、所定の制御周期（例えば１０ｓ）毎に、上記第２吸着熱交換器（52）における冷媒の蒸発温度が入力された室外空気（OA）の露点温度以上となるように上記電動膨張弁（55）の開度を制御する。
【００６０】
具体的には、第ｎ回目（ｎは１以上の整数）の制御周期において、冷媒の蒸発温度が室外空気（OA）の露点温度より低い場合は、第（ｎ＋１）回目の制御周期において、冷媒の蒸発温度を室外空気（OA）の露点温度より高くするために、冷媒の蒸発圧力を高くする必要があるので、電動膨張弁（55）の開度を大きくするようにフィードバック制御を行う。そして、第ｎ回目の制御周期において、冷媒の蒸発温度が室外空気（OA）の露点温度よりやや高い場合は、第（ｎ＋１）回目の制御周期においても、冷媒の蒸発温度が室外空気（OA）の露点温度よりやや高くなるように、第ｎ回目の制御周期における電動膨張弁（55）の開度を維持する。以上のような制御を繰り返し、第２吸着熱交換（52）の表面にドレン水が発生して、第２吸着熱交換器（52）のフィン（57）表面に担持された吸着剤が湿潤しないようにする。
【００６１】
上記起動制御部（62）による起動運転の終了後、上記調湿運転部（61）による除湿運転が開始する。除湿運転中の調湿装置（10）では、第１のバッチ運転と第２のバッチ運転が所定の時間間隔（例えば３分間隔）で交互に繰り返される。
【００６２】
除湿運転の第１のバッチ運転について説明する。
【００６３】
まず、上記起動運転の終了後に、上記第１のバッチ運転が開始される。第１のバッチ運転における冷媒回路（50）では、図３(Ａ)に示すように、四方切換弁（54）が第１状態に設定される。つまり、上記冷媒回路（50）の冷媒の循環方向は、起動運転時と切換わる。この状態の冷媒回路（50）では、冷媒が循環して冷凍サイクルが行われる。その際、冷媒回路（50）では、圧縮機（53）から吐出された冷媒が第１吸着熱交換器（51）、電動膨張弁（55）、第２吸着熱交換器（52）の順に通過し、第１吸着熱交換器（51）が凝縮器となって第２吸着熱交換器（52）が蒸発器となる。
【００６４】
図５に示すように、上記第１のバッチ運転中には、第１ダンパ（41）、第４ダンパ（44）、第６ダンパ（46）、及び第７ダンパ（47）だけが開状態となり、残りのダンパ（42,43,45,48）が閉状態となる。
【００６５】
外気吸込口（23）から外気側流路（32）へ流入した室外空気（OA）は、第４ダンパ（44）を通って第２熱交換器室（38）へ流入し、その後に第２吸着熱交換器（52）を通過する。第２吸着熱交換器（52）では、室外空気（OA）中の水分が吸着剤に吸着され、その際に生じた吸着熱が冷媒に吸熱される。第２吸着熱交換器（52）で除湿された室外空気（OA）は、第６ダンパ（46）を通って給気側流路（33）へ流入し、給気ファン室（36）を通過後に給気口（22）を通って室内へ供給される。
【００６６】
一方、内気吸込口（24）から内気側流路（34）へ流入した室内空気（RA）は、第７ダンパ（47）を通って第１熱交換器室（37）へ流入し、その後に第１吸着熱交換器（51）を通過する。第１吸着熱交換器（51）では、冷媒で加熱された吸着剤から水分が脱離し、この脱離した水分が室内空気（RA）に付与される。第１吸着熱交換器（51）で水分を付与された室内空気（RA）は、第１ダンパ（41）を通って排気側流路（31）へ流入し、排気ファン室（35）を通過後に排気口（21）を通って室外へ排出される。
【００６７】
次に、除湿運転の第２のバッチ運転について説明する。
【００６８】
上記第２のバッチ運転における上記冷媒回路（50）では、起動運転時と同様に、図３(Ｂ)に示すように、四方切換弁（54）が第２状態に設定される。そして、第２吸着熱交換器（52）が凝縮器となって第１吸着熱交換器（51）が蒸発器となる。
【００６９】
図６に示すように、上記第２のバッチ運転中では、起動運転時と同様に、第２ダンパ（42）、第３ダンパ（43）、第５ダンパ（45）、及び第８ダンパ（48）だけが開状態となり、残りのダンパ（41,44,46,47）が閉状態となる。
【００７０】
外気吸込口（23）から外気側流路（32）へ流入した室外空気（OA）は、第３ダンパ（43）を通って第１熱交換器室（37）へ流入し、その後に第１吸着熱交換器（51）を通過する。第１吸着熱交換器（51）では、室外空気（OA）中の水分が吸着剤に吸着され、その際に生じた吸着熱が冷媒に吸熱される。第１吸着熱交換器（51）で除湿された室外空気（OA）は、第５ダンパ（45）を通って給気側流路（33）へ流入し、給気ファン室（36）を通過後に給気口（22）を通って室内へ供給される。
【００７１】
一方、内気吸込口（24）から内気側流路（34）へ流入した室内空気（RA）は、第８ダンパ（48）を通って第２熱交換器室（38）へ流入し、その後に第２吸着熱交換器（52）を通過する。第２吸着熱交換器（52）では、冷媒で加熱された吸着剤から水分が脱離し、この脱離した水分が室内空気（RA）に付与される。第２吸着熱交換器（52）で水分を付与された室内空気（RA）は、第２ダンパ（42）を通って排気側流路（31）へ流入し、排気ファン室（35）を通過後に排気口（21）を通って室外へ排出される。
【００７２】
〈加湿運転〉
加湿運転中の調湿装置（10）では、給気ファン（26）及び排気ファン（25）が運転される。給気ファン（26）を運転すると、室外空気（OA）が外気吸込口（23）からケーシング（11）内へ取り込まれる。排気ファン（25）を運転すると、室内空気（RA）が内気吸込口（24）からケーシング（11）内へ取り込まれる。また、加湿運転中の調湿装置（10）では、上記起動運転（62）による起動運転は行われず、調湿運転部（61）による第１のバッチ運転と第２のバッチ運転とが所定の時間間隔（例えば３分間隔）で交互に繰り返される。
【００７３】
まず、加湿運転時の第１のバッチ運転について説明する。
【００７４】
上記第１のバッチ運転中の冷媒回路（50）では、図３（Ａ)に示すように、四方切換弁（54）が第１状態に設定される。そして、上記冷媒回路（50）では、除湿運転の第１のバッチ運転中と同様に、第１吸着熱交換器（51）が凝縮器となって第２吸着熱交換器（52）が蒸発器となる。
【００７５】
図６に示すように、上記第１のバッチ運転中には、第２ダンパ（42）、第３ダンパ（43）、第５ダンパ（45）、及び第８ダンパ（48）だけが開状態となり、残りのダンパ（41,44,46,47）が閉状態となる。
【００７６】
内気吸込口（24）から内気側流路（34）へ流入した室内空気（RA）は、第８ダンパ（48）を通って第２熱交換器室（38）へ流入し、その後に第２吸着熱交換器（52）を通過する。第２吸着熱交換器（52）では、室内空気（RA）中の水分が吸着剤に吸着され、その際に生じた吸着熱が冷媒に吸熱される。第２吸着熱交換器（52）で水分を奪われた室内空気（RA）は、第２ダンパ（42）を通って排気側流路（31）へ流入し、排気ファン室（35）を通過後に排気口（21）を通って室外へ排出される。
【００７７】
一方、外気吸込口（23）から外気側流路（32）へ流入した室外空気（OA）は、第３ダンパ（43）を通って第１熱交換器室（37）へ流入し、その後に第１吸着熱交換器（51）を通過する。第１吸着熱交換器（51）では、冷媒で加熱された吸着剤から水分が脱離し、この脱離した水分が室外空気（OA）に付与される。第１吸着熱交換器（51）で加湿された室外空気（OA）は、第５ダンパ（45）を通って給気側流路（33）へ流入し、給気ファン室（36）を通過後に給気口（22）を通って室内へ供給される。
【００７８】
次に、加湿運転時の第２のバッチ運転について説明する。
【００７９】
上記第２のバッチ運転においては、図３（Ｂ)に示すように、冷媒回路（50）の四方切換弁（54）が第２状態に設定される。そして、上記冷媒回路（50）では、除湿運転の第２のバッチ運転中と同様に、第２吸着熱交換器（52）が凝縮器となって第１吸着熱交換器（51）が蒸発器となる。
【００８０】
図５に示すように、上記第２のバッチ運転中には、第１ダンパ（41）、第４ダンパ（44）、第６ダンパ（46）、及び第７ダンパ（47）が開状態となり、残りのダンパ（42,43,45,48）が閉状態となる。
【００８１】
内気吸込口（24）から内気側流路（34）へ流入した室内空気（RA）は、第７ダンパ（47）を通って第１熱交換器室（37）へ流入し、その後に第１吸着熱交換器（51）を通過する。第１吸着熱交換器（51）では、室内空気（RA）中の水分が吸着剤に吸着され、その際に生じた吸着熱が冷媒に吸熱される。第１吸着熱交換器（51）で水分を奪われた室内空気（RA）は、第１ダンパ（41）を通って排気側流路（31）へ流入し、排気ファン室（35）を通過後に排気口（21）を通って室外へ排出される。
【００８２】
一方、外気吸込口（23）から外気側流路（32）へ流入した室外空気（OA）は、第４ダンパ（44）を通って第２熱交換器室（38）へ流入し、その後に第２吸着熱交換器（52）を通過する。第２吸着熱交換器（52）では、冷媒で加熱された吸着剤から水分が脱離し、この脱離した水分が室外空気（OA）に付与される。第２吸着熱交換器（52）で加湿された室外空気（OA）は、第６ダンパ（46）を通って給気側流路（33）へ流入し、給気ファン室（36）を通過後に給気口（22）を通って室内へ供給される。
【００８３】
−実施形態１の効果−
本実施形態では、上記起動制御部（62）により、上記除湿運転の起動時に、上記調湿運転部（61）の制御に代わり、室外空気（OA）の水分を吸着する上記第２吸着熱交換器（52）の冷媒の蒸発温度が上記室外空気（OA）の露点温度以上となるように上記電動膨張弁（55）の開度を制御したために、第２吸着熱交換器（52）の表面にドレン水が発生することがない。その結果、上記第２吸着熱交換器（52）の表面に担持された吸着剤が湿潤することがないので、吸着剤から不快臭が発生することを防止することができることから、室内に不快臭を有する供給空気（SA）が供給されることを防止することができる。
【００８４】
また、起動制御部（62）による除湿運転の起動運転中においては、冷媒回路（50）の四方切換弁（54）を図３（Ｂ）に示すように第２状態とし、調湿運転部（61）による除湿運転の第１回目のバッチ運転では、冷媒回路（50）の四方切換弁（54）を図３（Ａ）に示すように第１状態とし、冷媒回路（50）の冷媒の循環方向を切り換えたために、起動運転時において、蒸発器となる第２吸着熱交換器（52）が、第１回目のバッチ運転においても引き続き蒸発器となることがない。その結果、一方の熱交換器（52）が長時間蒸発器として使用されることを防止することができるので、蒸発圧力の低下を防止することができる。
【００８５】
《発明の実施形態２》
本実施形態の調湿装置（10）は、上記実施形態１の調湿装置（10）の起動制御部（62）が、蒸発器となる第２吸着熱交換器（52）の蒸発温度が室外空気（OA）の露点温度以上になるように電動膨張弁（55）の開度を制御して起動運転を行うようにしたのに代わり、起動制御部（62）により、凝縮器となる上記第２吸着熱交換器（52）に流れた室外空気（OA）を室内に供給する起動運転を行うようにしたものである。
【００８６】
具体的には、本実施形態の調湿装置（10）では、起動制御部（62）により、運転開始時の所定期間（例えば、２分間）、起動運転が行われる。
【００８７】
上記起動運転では、実施形態１の加湿運転における第２のバッチ運転と同様の運転が行われる。つまり、冷媒回路（50）では、図３（Ｂ)に示すように、四方切換弁（54）が第２状態に設定され、第１吸着熱交換器（51）が蒸発器となって第２吸着熱交換器（52）が凝縮器となる。
【００８８】
そして、図５に示すように、上記第１のバッチ運転中には、第１ダンパ（41）、第４ダンパ（44）、第６ダンパ（46）、及び第７ダンパ（47）だけが開状態となり、残りのダンパ（42,43,45,48）が閉状態となる。
【００８９】
外気吸込口（21）から外気側流路（32）へ流入した室外空気（OA）は、第４ダンパ（44）から第２熱交換器室（38）へ流入し、その後に第２吸着熱交換器（52）を通過する。そして、第６ダンパ（46）を通って、室内に供給される。また、内気吸込口（24）から内気側流路（34）へ流入した室内空気（RA）は、第７ダンパ（47）を通って第１熱交換器室（37）へ流入し、その後に蒸発器となる第２吸着熱交換器（52）を通過する。そして、第１ダンパ（41）を通って排気側流路（31）へ流入し、排気ファン室（35）を通過後に排気口（21）を通って室外へ排出される。
【００９０】
本実施形態では、起動運転において、室外空気（OA）が通過する第２吸着熱交換器（52）は凝縮器であるために、該第２吸着熱交換器（52）のフィン（57）表面にドレン水が発生することがない。これにより、上記第２吸着熱交換器（52）の吸着剤が湿潤して不快臭が発生することがないので、室内に供給される供給空気（SA）が不快臭を有することはない。また、仮に蒸発器となる第１熱吸着熱交換器（51）にドレン水が発生して、第１吸着熱交換器（51）の吸着剤が湿潤して不快臭が発生した場合であっても、この不快臭が第１吸着熱交換器（51）を通過する室内空気（RA）に移って不快臭を有する排出空気（EA）となり、室外へ排出することができる。
【００９１】
上記起動運転後、調湿運転部（61）により、上記実施形態１の除湿運転における第１のバッチ運転及び第２のバッチ運転を所定の時間間隔で交互に行われる。つまり、起動運転後に、第１のバッチ運転が開始し、冷媒回路（50）は、図３（Ａ）に示すように、四方切替弁（54）が第１状態となり、ケーシング内の各ダンパは図５に示す状態となる。起動運転と除湿運転の切換では、冷媒回路（50）の循環方向が切換わるが、ケーシング内の各ダンパは起動運転時の状態を維持する。そして、第１熱交換器（51）で除湿された室外空気（OA）が室内に供給される。一方、第２のバッチ運転では、冷媒回路（50）は、図３（Ｂ）に示すように、四方切替弁（54）が第２状態となり、ケーシング内の各ダンパは図６に示す状態となる。そして、第２熱交換器（52）で除湿された室外空気（OA）が室内に供給される。
【００９２】
その他の構成、作用及び効果は実施形態１と同じである。
【００９３】
《発明の実施形態３》
本実施形態は、上記実施形態１の調湿装置（10）の起動制御部（62）が、蒸発器となる第２吸着熱交換器（52）の蒸発温度が室外空気（OA）の露点温度以上になるように電動膨張弁（55）の開度を制御して起動運転を行うようにしたのに代わり、コントローラ（60）が起動制御部（62）の代わりに空気排出部（63）を備え、該空気排出部（63）により、除湿運転及び加湿運転の起動時に、ケーシング（11）の空気通路（37,38）内の空気を室外に排出するものである。
【００９４】
ここで、ケーシング（11）の空気通路とは、室内空気（SA）が通過する内気側流路（34）、室外空気（OA）が通過する外気側流路（33）、室内空気（SA）及び室外空気（OA）が通過する、第１熱交換器室（37）、第２熱交換器室（38）、給気側流路（37）、及び排気側流路（31）であるが、本実施形態においては、少なくとも第１熱交換器室（37）及び第２熱交換器室（38）を意味する。つまり、上記空気排出部（63）は、運転停止中に第１吸着熱交換器室（37）及び第２吸着熱交換室（38）に充満していている空気を室外に排出するための排出手段である。
【００９５】
具体的には、上記調湿装置（10）の運転を開始すると、上記空気排出部（63）により、図７に示すように、第１ダンパ（41）、第２ダンパ（42）、第７ダンパ（47）、及び第８ダンパ（48）だけが開状態となり、残りのダンパ（43,44,45,46）が閉状態となる。そして、冷媒回路（50）の循環及び給気ファン（26）の運転は停止したままで、排気ファン（25）の運転が開始される。排気ファン（25）を運転すると、室内空気（RA）が内気吸込口（24）からケーシング（11）内へ取り込まれる。
【００９６】
そして、内気吸込口（24）を通って内気側流路（34）へ流入した室内空気（RA）は、第７ダンパ（47）及び第８ダンパ（48）を通って、第１熱交換器室（37）及び第２熱交換器室（38）へ流入する。そして、第１熱交換器室（37）及び第２熱交換器室（38）に充満している空気を押し出すようにして、第１ダンパ（41）及び第２ダンパ（42）を通って、排気側流路（31）へ流入し、排気ファン室（35）を通過後に排気口（21）を通って室外へ排出される。
【００９７】
本実施形態では、上記空気排出部（63）により、起動時に第１吸着熱交換器室（37）及び第２吸着熱交換器室（38）内の空気を排出するようにしたために、仮に、運転停止中に第１吸着熱交換器（51）及び第２吸着熱交換器（52）に担持された吸着剤が湿潤して、第１熱交換器室（37）又は第２熱交換器室（38）に不快臭を有する空気が充満している場合であっても、この不快臭を有する空気を排出することができる。その結果、室内に不快臭を有する空気が供給されることを防止することができる。
【００９８】
その他の構成、作用及び効果は実施形態１と同じである。
【００９９】
《実施形態４》
本実施形態の調湿装置（10）は、図８に示すように、冷媒回路（100）の熱交換器（102,103）とは別に設けられた吸着素子（111,112）を備えている。そして、本実施形態では、上記冷媒回路（100）が熱源手段を構成し、上記吸着素子（111,112）が吸着部材を構成している。
【０１００】
上記冷媒回路（100）と吸着素子（111,112）は図示しないケーシング内に収容されている。該ケーシングには、室外空気（OA）を調湿処理して排出し、室内空気（RA）を室外に排出する空気通路が形成されている。
【０１０１】
そして、本実施形態の調湿装置（10）は、実施形態３と同様に、制御手段であるコントローラ（60）を備え、該コントローラ（60）は調湿運転部（61）と空気排出部（63）とを備えている。
【０１０２】
図８に示すように、冷媒回路（100）は、圧縮機（101）と凝縮器（102）と膨張弁（103）と蒸発器（104）が順に接続された閉回路である。冷媒回路（100）で冷媒を循環させると、蒸気圧縮冷凍サイクルが行われる。第１吸着素子（111）及び第２吸着素子（112）は、ゼオライト等の吸着剤を備えている。また、各吸着素子（111,112）には多数の空気通過路が形成されており、この空気通過路を通過する際に空気が吸着剤と接触する。
【０１０３】
上記調湿装置（10）は、上記空気排出部（63）により、起動時にケーシング（11）内の空気通路に充満している空気を排出する。その後、上記調湿運転部（61）により、第１のバッチ運転と第２のバッチ運転を繰り返す。図８(Ａ)に示すように、第１のバッチ運転中の調湿装置（10）は、凝縮器（102）で加熱された空気を第１吸着素子（111）へ供給して吸着剤を再生する一方、第２吸着素子（112）に水分を奪われた空気を蒸発器（104）で冷却する。また、図８(Ｂ)に示すように、第２のバッチ運転中の調湿装置（10）は、凝縮器（102）で加熱された空気を第２吸着素子（112）へ供給して吸着剤を再生する一方、第１吸着素子（111）に水分を奪われた空気を蒸発器（104）で冷却する。そして、この調湿装置（10）は、吸着素子（111,112）を通過する際に除湿された空気を室内へ供給する除湿運転と、吸着素子（111,112）を通過する際に加湿された空気を室内へ供給する加湿運転とを切り換えて行う。
【０１０４】
本実施形態では、上記空気排出部（63）により、起動時にケーシング（11）内の空気通路に充満している空気を排出するようにしたために、仮に、吸着素子（111,112）の吸着剤が運転停止中に水分を吸着して湿潤していることにより、不快臭を発生している場合であっても、この不快臭を有する空気を室外に排出することができる。この結果、室内に不快臭を有する空気が供給されることを防止することができる。
【０１０５】
《実施形態５》
本実施形態の調湿装置（10）は、図９に示すように、調湿ユニット（150）を備えている。この調湿ユニット（150）は、ペルチェ素子（153）と一対の吸着フィン（151,152）とを備え、図示しないケーシングに収容されている。上記ペルチェ素子（153）には、その一方の面に第１吸着フィン（151）が、他方の面に第２吸着フィン（152）がそれぞれ接合され、第１吸着部材及び第２吸着部材を構成している。上記吸着フィン（151,152）は、いわゆるヒートシンクの表面にゼオライト等の吸着剤を担持させたものである。ペルチェ素子（153）に電圧を印加すると直流を流れ、２つの吸着フィン（151,152）の一方が吸熱側になって他方が放熱側になる。このペルチェ素子（153）は、熱源手段を構成している。
【０１０６】
また、本実施形態の調湿装置（10）は、実施形態１と同様に、制御手段であるコントローラ（60）を備え、該コントローラ（60）は、調湿運転部（61）と起動制御部（62）とを備えている。
【０１０７】
上記起動制御部（62）は、除湿運転の起動時にペルチェ素子（153）の印加電圧を調整することにより、２つの吸着フィン（151,152）の温度を調整する。これにより、上記起動制御部（62）は、冷却される何れかの吸着フィン（151,152）の冷却温度を被処理空気の露点温度以上となるようにして起動運転を行う。
【０１０８】
起動運転後、上記調湿装置（10）は、上記調湿運転部（61）により、第１のバッチ運転と第２のバッチ運転を繰り返す。第１のバッチ運転中の調湿ユニット（150）は、放熱側となった第１吸着フィン（151）の吸着剤を再生して空気を加湿する一方、吸熱側となった第２吸着フィン（152）の吸着剤に水分を吸着させて空気を除湿する。また、第１のバッチ運転中の調湿ユニット（150）は、放熱側となった第２吸着フィン（152）の吸着剤を再生して空気を加湿する一方、吸熱側となった第１吸着フィン（151）の吸着剤に水分を吸着させて空気を除湿する。そして、この調湿装置（10）は、調湿ユニット（150）を通過する際に除湿された空気を室内へ供給する除湿運転と、調湿ユニット（150）を通過する際に加湿された空気を室内へ供給する加湿運転とを切り換えて行う。
【０１０９】
本実施形態では、除湿運転の起動時において、上記起動制御部（62）により上記ペルチェ素子（153）に印加する電圧を調整するようにしたために、吸熱側となる第１吸着フィン（151）又は第２吸着フィン（152）の温度を被処理空気の露点温度以上とすることができるので、吸熱側となる第１吸着フィン（151）又は第２吸着フィン（152）に担持された吸着剤の湿潤を防止することができる。これにより、不快臭を有する空気が室内に供給されることを防止することができる。
【０１１０】
その他の構成、作用及び効果は実施形態１と同じである。
【０１１１】
《その他の実施形態》
上記実施形態については、以下のような構成としてもよい。
【０１１２】
上記実施形態１及び２においては、上記調湿装置（10）が、除湿運転及び加湿運転の両方を行うが、第１〜４の発明においては、少なくとも、除湿運転を行うように構成されていればよい。
【０１１３】
また、上記実施形態１の調湿装置（10）は、換気を行う調湿装置であるが、これに限定されず、室内空気（RA）を調湿処理して室内に供給したり、室外空気（OA）によって吸着熱交換器（51,52）に担持されている吸着剤を再生したりするように構成されていてもよい。
【０１１４】
また、上記実施形態１の電動膨張弁（55）の開度制御方法は、フィードバック制御に限定されない。例えば、予め記憶する室外空気の露点温度と冷媒の蒸発温度との数値データのテーブルや、相関式などの演算式など用いて、電動膨張弁（55）の開度を決定してもよい。
【０１１５】
上記実施形態２においては、起動運転時に室外空気（OA）を凝縮器となる第２吸着交換器（52）を通して室内に供給したが、室内空気（RA）を凝縮器となる第１吸着熱交換器（51）又は第２吸着熱交換器（52）に通して室内に供給してもよい。
【０１１６】
また、上記実施形態１及び実施形態２においては、起動運転の冷媒回路（50）を図３（Ａ）に示す第１のバッチ運転と同じ状態とし、調湿運転の開始時に、冷媒回路（50）を図３（Ｂ）に示す第２のバッチ運転の状態に切り換えてもよい。
【０１１７】
上記実施形態３においては、上記調湿装置（10）が、除湿運転及び加湿運転の両方を行うが、第６及び７の発明においては、除湿運転及び加湿運転の何れか一方を行うように構成されていてもよい。そして、不快臭を有する空気が排出されればよいので、空気排出部（63）による空気排出の流れはこれに限定されない。例えば、第１ダンパ（41）、第２ダンパ（42）、第５ダンパ（45）、及び第６ダンパ（46）を開状態にし、その他のダンパ（43,44,47,48）を閉状態にして、排気ファンを運転することで、給気側流路（33）から第１熱交換器室（37）及び第２熱交換器室（38）を通って、外気側流路（32）から排出されるようにしてもよい。
【０１１８】
また、上記実施形態１と上記実施形態３とを組み合わせて行ってもよいし、上記実施形態２と上記実施形態３とを組み合わせて行ってもよい。つまり、空気排出部（63）により、ケーシング（11）内の空気通路（37,38）内の空気を排出した後に、起動制御部（62）により、第２吸着熱交換器（52）における冷媒の蒸発温度が室外空気（OA）の露点温度以上になるように電動膨張弁（55）の開度を制御する起動運転を行うようにしてもよい。空気排出部（63）により、ケーシング（11）内の空気通路（37,38）内の空気を排出した後に、起動制御部（62）により、凝縮器となる第１吸着熱交換器（52）において室外空気（OA）を処理して室内に供給する起動運転を行うようにしてもよい。
【０１１９】
上記実施形態４においては、調湿装置（10）が除湿運転及び加湿運転を行うが、第６又は第７の発明においては、除湿運転及び加湿運転の何れか一方を行う調湿装置であればよい。
【０１２０】
また、上記実施形態４の調湿装置（10）が、空気排出部（63）と共に、又は空気排出部（63）の代わりに、起動制御部（62）を備えていてもよい。そして、該起動制御部（62）が、起動時に加熱された吸着素子（111,112)側に処理された空気を室内に供給するよう起動運転を行うようにしてもよい。この場合においては、上記実施形態４の調湿装置（10）は、除湿運転及び加湿運転を行うが、第３の発明においては、少なくとも除湿運転を行う調湿装置であればよい。そして、除湿運転の起動時に、空気排出部（63）による空気排出の後、起動制御部（62）による起動運転を行ってもよいし、空気排出を行わず、起動運転のみを行ってもよい。
【０１２１】
上記実施形態５においては、上記調湿装置（10）が、除湿運転及び加湿運転を行うが、第１発明においては、少なくとも、除湿運転を行うように構成されていればよい。
【０１２２】
また、上記実施形態５の調湿装置（10）の起動制御部（62）が、電圧の制御に代わり、放熱側となる第１フィン又は第２フィンにより処理された空気を室内に供給するようにしてもよい。この場合においては、上記実施形態５の調湿装置（10）は除湿及び加湿運転を行うが、第３の発明においては、少なくとも、除湿運転を行うように構成されていればよい。
【０１２３】
また、上記実施形態５の調湿装置（10）が、起動制御部（62）と共に、又は起動制御部（62）の代わりに、空気排出部（63）を備えていてもよい。この場合においては、上記実施形態５の調湿装置（10）は除湿運転及び加湿運転を行うが、第６の発明においては、何れか一方を行えばよい。そして、除湿運転を行う場合は、空気排出部（63）による空気排出の後、起動制御部（62）による起動運転を行ってもよいし、空気排出の後、起動運転を行わずに除湿運転を行ってもよい。
【０１２４】
なお、以上の実施形態は、本質的に好ましい例示であって、本発明、その適用物、あるいはその用途の範囲を制限することを意図するものではない。
【産業上の利用可能性】
【０１２５】
以上説明したように、本発明は、吸着剤が担持された吸着部材を備えた調湿装置について有用である。
【図面の簡単な説明】
【０１２６】
【図１】実施形態１の調湿装置の構成を示す斜視図である。
【図２】実施形態１の調湿装置の概略構成を示す平面視、右側面視、及び左側面視の構成図である。
【図３】実施形態１の冷媒回路の構成を示す配管系統図であって、(Ａ)は第１のバッチ運転の動作を示すものであり、(Ｂ)は第２のバッチ運転と、除湿運転時における起動運転の動作を示すものである。
【図４】吸着熱交換器の概略斜視図である。
【図５】実施形態１の除湿運転の第１のバッチ運転及び加湿運転の第２のバッチ運転と、実施形態２の起動運転における空気の流れを示す調湿装置の概略構成図である。
【図６】実施形態１の除湿運転の第２のバッチ運転及び起動運転と、加湿運転の第１のバッチ運転における空気の流れを示す調湿装置の概略構成図である。
【図７】実施形態３の起動時の空気排出における空気の流れを示す調湿装置の概略構成図である。
【図８】実施形態４における調湿装置の概略構成図であって、(Ａ)は第１のバッチ運転中の動作を示すものであり、(Ｂ)は第２のバッチ運転中の動作を示すものである。
【図９】実施形態５における調湿ユニットの概略斜視図である。
【符号の説明】
【０１２７】
11    ケーシング
37    第１熱交換器室（空気通路）
38    第２熱交換器室（空気通路）
50    冷媒回路（熱源手段、冷媒回路）
51    第１吸着熱交換器（第１吸着部材、第１熱交換器）
52    第２吸着熱交換器（第２吸着部材、第２熱交換器）
55    電動膨張弁（膨張弁）
61    調湿運転部（調湿運転手段）
62    起動制御部（起動制御手段）
63    空気排出部（排出手段）
100   冷媒回路(熱源手段)
111   第１吸着素子（第１吸着部材）
112   第２吸着素子（第２吸着部材）
151   第１吸着フィン（第１吸着部材）
152   第２吸着フィン（第２吸着部材）
153   ペルチェ素子（熱源手段）
OA    室外空気（第１空気、第２空気）
RA    室内空気（第１空気、第２空気）
SA    供給空気（除湿空気、調湿空気）
【図１】
2006329596.tif 000003
【図２】
2006329596.tif 000004
【図３】
2006329596.tif 000005
【図４】
2006329596.tif 000006
【図５】
2006329596.tif 000007
【図６】
2006329596.tif 000008
【図７】
2006329596.tif 000009
【図８】
2006329596.tif 000010
【図９】
2006329596.tif 000011